(57)【要約】【課題】フィルタを変更するための構造を備える２眼カメラにおいて、カメラ本体の小型化を図る。【解決手段】ワイドバンドカメラ１００は、第１カメラ２１と、第２カメラ２２と、第１カメラ２１の光軸方向と直交する平面を持つ回動プレート２３と、を備え、回動プレート２３は、フィルタ部２３ａと、第１カメラ２１の光軸を中心に回動する回動軸部２３ｂと、を備え、フィルタ部２３ａを第２カメラ２２の撮像範囲に重なる状態と重ならない状態とに変換するように、回動軸部２３ｂを中心として回動するようにする。【選択図】図２
2019113715.tif 000002
【特許請求の範囲】
【請求項１】
第１の撮像手段と、
第２の撮像手段と、
前記第１の撮像手段の光軸方向と直交する平面を持つ回動部と、
を備え、
前記回動部は、
第１のフィルタ部と、前記第１の撮像手段の光軸を中心に回動する回動軸部と、を備え、
前記第１のフィルタ部を前記第２の撮像手段の撮像範囲に重なる状態と重ならない状態とに変換するように、前記回動軸部を中心として回動する、
ことを特徴とする撮像装置。
【請求項２】
前記回動軸部には、前記第１の撮像手段の撮像範囲に重ならないようにするための開口部が設けられ、
前記回動部は、前記開口部を中心として回動する、
ことを特徴とする請求項１に記載の撮像装置。
【請求項３】
前記回動部は、透過可能な光の波長帯域が前記第１のフィルタ部とは異なる第２のフィルタ部を少なくとも一つ以上備える、
ことを特徴とする請求項１又は２に記載の撮像装置。
【請求項４】
前記回動部は、前記第１のフィルタ部と前記第２のフィルタ部とのうちの何れか一つが前記第１の撮像手段の撮像範囲に重なるように回動する、
ことを特徴とする請求項３に記載の撮像装置。
【請求項５】
前記回動部を複数備え、
前記複数の回動部の各々は、透過可能な光の波長帯域がそれぞれ異なるフィルタが設けられたフィルタ部を備える、
ことを特徴とする請求項１から４のいずれか１項に記載の撮像装置。
【請求項６】
前記複数の回動部は、それぞれの前記回動軸部が前記第１の撮像手段の光軸上に積み重ねられている、
ことを特徴とする請求項５に記載の撮像装置。
【請求項７】
前記フィルタ部は、前記第２の撮像手段との光軸方向の距離に応じて、前記第２の撮像手段の撮像範囲と重なる範囲となる大きさのフィルタを設ける、
ことを特徴とする請求項５または６に記載の撮像装置。
【請求項８】
前記回動軸部は、前記第１の撮像手段との光軸方向の距離に応じて、少なくとも前記第１の撮像手段の撮像範囲より大きい面積の円形状の開口部を設ける、
ことを特徴とする請求項５から７のいずれか１項に記載の撮像装置。
【請求項９】
前記第１の撮像手段及び前記第２の撮像手段を保護する保護部材を更に備え、
前記保護部材は、
透明部材で構成され、
前記第１の撮像手段の撮像範囲に重ならないようにするための開口部が設けられ、
前記第２の撮像手段の撮像範囲と重なる領域以外の領域に印刷が施されている、
ことを特徴とする請求項１から８のいずれか１項に記載の撮像装置。
【発明の詳細な説明】
【技術分野】
【０００１】
本発明は、撮像装置に関する。
【背景技術】
【０００２】
従来、２つのカメラを搭載した２眼カメラが知られている。この２眼カメラにおいては、例えば、夫々のカメラが異なる条件で撮像するように透過可能な波長帯域に応じたフィルタをカメラの光学系に対して挿抜可能に設ける技術が開示されている（例えば、特許文献１参照）。
【先行技術文献】
【特許文献】
【０００３】
【特許文献１】特開２０１４−２４１５８４号公報
【発明の概要】
【発明が解決しようとする課題】
【０００４】
しかしながら、上記特許文献１に開示されている２眼カメラは、フィルタを変更するための構造が大型な挿抜構造となりカメラ本体が大型なものとなってしまうという問題があった。
【０００５】
本発明は、このような問題に鑑みてなされたものであり、フィルタを変更するための構造を備える２眼カメラにおいて、カメラ本体の小型化を図ることを目的とする。
【課題を解決するための手段】
【０００６】
上記課題を解決するため、本発明の撮像装置は、
第１の撮像手段と、
第２の撮像手段と、
前記第１の撮像手段の光軸方向と直交する平面を持つ回動部と、
を備え、
前記回動部は、
第１のフィルタ部と、前記第１の撮像手段の光軸を中心に回動する回動軸部と、を備え、
前記第１のフィルタ部を前記第２の撮像手段の撮像範囲に重なる状態と重ならない状態とに変換するように、前記回動軸部を中心として回動する、
ことを特徴とする。
【発明の効果】
【０００７】
本発明によれば、フィルタを変更するための構造を備える２眼カメラにおいて、カメラ本体の小型化を図ることができる。
【図面の簡単な説明】
【０００８】
【図１】実施形態１のワイドバンドカメラを示す斜視図である。
【図２】実施形態１のワイドバンドカメラによる撮像態様を説明するための図である。
【図３】実施形態２のワイドバンドカメラを示す斜視図であり、保護パネルを除くフロントケースの部分を透過させた状態のワイドバンドカメラを示す図である。
【図４】実施形態２のワイドバンドカメラを示す斜視図であり、保護パネルを含むフロントケース全体を透過させた状態のワイドバンドカメラを示す図である。
【図５】実施形態２のワイドバンドカメラの断面図である。
【発明を実施するための形態】
【０００９】
以下に、本発明について、図面を用いて具体的な態様を説明する。ただし、発明の範囲は、図示例に限定されない。
【００１０】
［実施形態１］
まず、実施形態１のワイドバンドカメラ（撮像装置）１００について、図１及び図２を用いて説明する。ワイドバンドカメラ１００は、人の眼で捉えることができる可視光線の波長の他、人の眼で捉えることができない不可視光線（紫外線、近赤外線、遠赤外線など）の波長でも撮像することができるカメラである。
【００１１】
図１は、実施形態１のワイドバンドカメラ１００を示す斜視図である。また、図２は、実施形態１のワイドバンドカメラ１００による撮像態様を説明するための図である。具体的には、図２（ａ）は、第１カメラ２１により遠赤外線の波長帯域における撮像を行うと同時に、第２カメラ２２により可視光線の波長帯域における撮像を行うときの態様を示す図であり、図２（ｂ）は、このときのワイドバンドカメラ１００の内部状態を示す図である。また、図２（ｃ）は、第１カメラ２１により遠赤外線の波長帯域における撮像を行うと同時に、第２カメラ２２により近赤外線の波長帯域における撮像を行うときの態様を示す図であり、図２（ｄ）は、このときのワイドバンドカメラ１００の内部状態を示す図である。
【００１２】
図１に示すように、ワイドバンドカメラ１００は、ベース部１０と、フロント部２０と、を備えている。
【００１３】
ベース部１０は、基板（図示省略）や二次電池（図示省略）などを収納する基部である。
【００１４】
フロント部２０は、第１カメラ（第１の撮像手段）２１と、第２カメラ（第２の撮像手段）２２と、回動プレート（回動部）２３（図２参照）と、第１カメラ２１、第２カメラ２２及び回動プレート２３をそれぞれ所定の位置に配設するためのフロントケース２４と、を備えている。
【００１５】
第１カメラ２１は、被写体から放射される遠赤外線を可視化するためのカメラである。
【００１６】
第２カメラ２２は、光学系と撮像素子とを備える一般的なデジタルカメラであり、第１カメラ２１の近傍に並設されている。第２カメラ２２は、回動プレート２３を操作することによって、遠赤外線の波長帯域以外の波長帯域（例えば、紫外線、可視光線、近赤外線の波長帯域）における撮像を行う。
【００１７】
回動プレート２３は、図２（ａ）及び（ｂ）に示すように、第１カメラ２１の光軸方向と直交する平面を有するプレートであり、第１カメラ２１及び第２カメラ２２の各レンズの前方に配設されている。また、回動プレート２３は、フィルタ部２３ａと、第１カメラ２１の光軸を中心に回動する回動軸部２３ｂと、を備えている。
【００１８】
回動軸部２３ｂには、図２（ａ）及び（ｂ）に示すように、第１カメラ２１の撮像範囲に重ならないようにするための円形状の開口部２３ｂ１が設けられており、回動プレート２３は、この開口部２３ｂ１を中心として回動するようにフロントケース２４に設けられている。
【００１９】
フィルタ部２３ａには、図２（ａ）及び（ｂ）に示すように、３つの円形状の開口部２３ａ１，２３ａ２，２３ａ３が設けられている。各開口部２３ａ１，２３ａ２，２３ａ３は、各開口部２３ａ１，２３ａ２，２３ａ３の中心と開口部２３ｂ１の中心との距離が互いに等しくなるように設けられるとともに、第２カメラ２２の撮像範囲に重ならないように設けられている。そして、開口部２３ａ１には、近赤外線の波長帯域の光のみを透過させるフィルタ（以下、近赤外線用フィルタという）２３ａ４が貼付されている。また、開口部２３ａ２には、可視光線の波長帯域の光のみを透過させるフィルタ（以下、可視光線用フィルタという）２３ａ５が貼付されている。また、開口部２３ａ３には、紫外線の波長帯域の光のみを透過させるフィルタ（以下、紫外線用フィルタという）２３ａ６が貼付されている。
【００２０】
フロントケース２４は、図１に示すように、円錐台形状をなしており、その上底部に第１カメラ２１及び第２カメラ２２を保護するための保護パネル（保護部材）２４ａを備えている。また、フロントケース２４は、その側面に、回動プレート２３のフィルタ部２３ａを突出可能なスリット２４ｂ，２４ｂを備えている。
【００２１】
保護パネル２４ａには、第１カメラ２１の撮像範囲に重ならないようにするための矩形状の開口部２４ａ１が設けられている。また、保護パネル２４ａは、透明部材で構成されており、第２カメラ２２の撮像範囲と重なる領域２４ａ２以外の領域２４ａ３に印刷が施されている。
【００２２】
次に、ワイドバンドカメラ１００による撮像態様について、図２を用いて説明する。
図２（ａ）及び（ｂ）に示すように、第１カメラ２１により遠赤外線の波長帯域における撮像を行うと同時に、第２カメラ２２により可視光線の波長帯域における撮像を行う場合、開口部２３ａ２に貼付されている可視光線用フィルタ２３ａ５が第２カメラ２２の撮像範囲に重なるように、開口部２３ｂ１を中心として回動プレート２３を回動させた後、対象となる被写体の撮像を行う。
【００２３】
また、図２（ｃ）及び（ｄ）に示すように、第１カメラ２１により遠赤外線の波長帯域における撮像を行うと同時に、第２カメラ２２により近赤外線の波長帯域における撮像を行う場合、開口部２３ａ１に貼付されている近赤外線用フィルタ２３ａ４が第２カメラ２２の撮像範囲に重なるように、開口部２３ｂ１を中心として回動プレート２３を回動させた後、対象となる被写体の撮像を行う。
【００２４】
また、図示は省略するが、第１カメラ２１により遠赤外線の波長帯域における撮像を行うと同時に、第２カメラ２２により紫外線の波長帯域における撮像を行う場合、開口部２３ａ３に貼付されている紫外線用フィルタ２３ａ６が第２カメラ２２の撮像範囲に重なるように、開口部２３ｂ１を中心として回動プレート２３を回動させた後、対象となる被写体の撮像を行う。
【００２５】
なお、回動プレート２３の操作方法については、開口部２３ｂ１を中心として回動プレート２３を回動させることができれば良く、例えば、ユーザが回動プレート２３を自ら回動させる手動式でも良いし、モータによる動力を与えて回動プレート２３を回動させる方法でも良い。
【００２６】
以上のように、本実施形態のワイドバンドカメラ１００は、第１カメラ２１と、第２カメラ２２と、第１カメラ２１の光軸方向と直交する平面を持つ回動プレート２３と、を備え、回動プレート２３は、フィルタ部２３ａと、第１カメラ２１の光軸を中心に回動する回動軸部２３ｂと、を備え、フィルタ部２３ａを第２カメラ２２の撮像範囲に重なる状態と重ならない状態とに変換するように、回動軸部２３ｂを中心として回動することとなる。
このため、回動プレート２３を配設する際に、第１カメラ２１の前面側の領域を有効に活用することができるので省スペース化を図ることができ、カメラ本体の小型化を図ることができる。
【００２７】
また、本実施形態のワイドバンドカメラ１００の回動軸部２３ｂには、第１カメラ２１の撮像範囲に重ならないようにするための開口部２３ｂ１が設けられ、回動プレート２３は、開口部２３ｂ１を中心として回動するので、第１カメラ２１の撮像範囲を遮ることなく第１カメラ２１の前面側の領域を有効に活用することができる。
【００２８】
また、本実施形態のワイドバンドカメラ１００のフィルタ部２３ａは、透過可能な光の波長帯域がそれぞれ異なる近赤外線用フィルタ２３ａ４、可視光線用フィルタ２３ａ５、及び紫外線用フィルタ２３ａ６を備えているので、近赤外光、可視光、紫外光といった幅広い波長帯域の画像を１台のカメラで撮像することができる。また、近赤外光、可視光、紫外光のそれぞれの画像と、遠赤外光の画像とを重ね合わせて表示及び撮影することができる。
【００２９】
また、本実施形態のワイドバンドカメラ１００は、第１カメラ２１及び第２カメラ２２を保護する保護パネル２４ａを更に備え、保護パネル２４ａは、透明部材で構成され、第１カメラ２１の撮像範囲に重ならないようにするための開口部２４ａ１が設けられ、第２カメラ２２の撮像範囲と重なる領域２４ａ２以外の領域２４ａ３に印刷が施されているので、第１カメラ２１と第２カメラ２２とによる撮影に支障のない範囲で第１カメラ２１及び第２カメラ２２を保護することができる。
【００３０】
［実施形態２］
次に、実施形態２のワイドバンドカメラ２００について、図３〜図５を用いて説明する。なお、実施形態１と同様の構成要素には同一の符号を付し、その説明を省略する。
【００３１】
実施形態２のワイドバンドカメラ２００は、各フィルタ２３ａ４〜２３ａ６に対応する回動プレート２２１〜２２３をそれぞれ設け、各回動プレート２２１〜２２３を積み重ねている点で、実施形態１と異なっている。
【００３２】
図３は、実施形態２のワイドバンドカメラ（撮像装置）２００を示す斜視図であり、保護パネル２４ａを除くフロントケース２２４の部分を透過させた状態のワイドバンドカメラ２００を示している。また、図４は、保護パネル２４ａを含むフロントケース２２４全体を透過させた状態のワイドバンドカメラ２００を示している。また、図５は、実施形態２のワイドバンドカメラ２００の断面図である。
【００３３】
図３〜図５に示すように、ワイドバンドカメラ２００は、ベース部１０と、フロント部２２０と、を備えている。
【００３４】
フロント部２２０は、第１カメラ（第１の撮像手段）２１と、第２カメラ（第２の撮像手段）２２と、第１〜第３の各回動プレート２２１〜２２３（回動部）と、第１カメラ２１、第２カメラ２２及び第１〜第３の各回動プレート２２１〜２２３をそれぞれ所定の位置に配設するためのフロントケース２２４と、を備えている。
【００３５】
第２カメラ２２は、第１〜第３の各回動プレート２２１〜２２３をそれぞれ操作することによって、遠赤外線の波長帯域以外の波長帯域（例えば、紫外線、可視光線、近赤外線の波長帯域）における撮像を行う。
【００３６】
第１の回動プレート２２１は、図５に示すように、第１カメラ２１の光軸方向と直交する平面を有するプレートであり、第１カメラ２１及び第２カメラ２２の各レンズの前方に配設されている。また、第１の回動プレート２２１は、フィルタ部２２１ａと、第１カメラ２１の光軸を中心に回動する回動軸部２２１ｂと、を備えている。
【００３７】
回動軸部２２１ｂには、図４及び図５に示すように、第１カメラ２１の撮像範囲に重ならないようにするための円形状の開口部２２１ｂ１が設けられており、第１の回動プレート２２１は、この開口部２２１ｂ１を中心として回動するようにフロントケース２２４に設けられている。
【００３８】
フィルタ部２２１ａには、図４及び図５に示すように、円形状の開口部２２１ａ１が設けられている。この開口部２２１ａ１は、第２カメラ２２の撮像範囲に重ならないように設けられている。そして、開口部２２１ａ１には、近赤外線用フィルタ２３ａ４が貼付されている。
【００３９】
第２の回動プレート２２２は、第１の回動プレート２２１と同様に、第１カメラ２１の光軸方向と直交する平面を有するプレートである。第２の回動プレート２２２は、第１カメラ２１及び第２カメラ２２の各レンズの前方、且つ、第１の回動プレート２２１の直上に第１の回動プレート２２１と重なるようにして配設されている。また、第２の回動プレート２２２は、フィルタ部２２２ａと、第１カメラ２１の光軸を中心に回動する回動軸部２２２ｂと、を備えている。
【００４０】
回動軸部２２２ｂには、図４及び図５に示すように、第１カメラ２１の撮像範囲に重ならないようにするための円形状の開口部２２２ｂ１が設けられており、第２の回動プレート２２２は、この開口部２２２ｂ１を中心として回動するようにフロントケース２２４に設けられている。ここで、第２の回動プレート２２２の位置は、第１の回動プレート２２１の位置に比べて第１カメラ２１から離れており、第１の回動プレート２２１の位置における第１カメラ２１の画角よりも第２の回動プレート２２２の位置における第１カメラ２１の画角の方が広くなるため、開口部２２２ｂ１の開口面積は、開口部２２１ｂ１の開口面積よりも大きくなっている。
【００４１】
フィルタ部２２２ａには、図４及び図５に示すように、円形状の開口部２２２ａ１が設けられている。この開口部２２２ａ１は、第２カメラ２２の撮像範囲に重ならないように設けられている。そして、開口部２２２ａ１には、可視光線用フィルタ２３ａ５が貼付されている。ここで、第２の回動プレート２２２の位置は、第１の回動プレート２２１の位置に比べて第２カメラ２２から離れており、第１の回動プレート２２１の位置における第２カメラ２２の画角よりも第２の回動プレート２２２の位置における第２カメラ２２の画角の方が広くなるため、開口部２２２ａ１の開口面積は、開口部２２１ａ１の開口面積よりも大きくなっている。
【００４２】
第３の回動プレート２２３は、第１の回動プレート２２１や第２の回動プレート２２２と同様に、第１カメラ２１の光軸方向と直交する平面を有するプレートである。第３の回動プレート２２３は、第１カメラ２１及び第２カメラ２２の各レンズの前方、且つ、第２の回動プレート２２２の直上に第２の回動プレート２２２と重なるようにして配設されている。また、第３の回動プレート２２３は、フィルタ部２２３ａと、第１カメラ２１の光軸を中心に回動する回動軸部２２３ｂと、を備えている。つまり、第１〜第３の各回動プレート２２１〜２２３は、それぞれの回動軸部２２１ｂ，２２２ｂ，２２３ｂが第１カメラ２１の光軸上に積み重ねられた構造となっている。
【００４３】
回動軸部２２３ｂには、図４及び図５に示すように、第１カメラ２１の撮像範囲に重ならないようにするための円形状の開口部２２３ｂ１が設けられており、第３の回動プレート２２３は、この開口部２２３ｂ１を中心として回動するようにフロントケース２２４に設けられている。ここで、第３の回動プレート２２３の位置は、第２の回動プレート２２２の位置に比べて第１カメラ２１から離れており、第２の回動プレート２２２の位置における第１カメラ２１の画角よりも第３の回動プレート２２３の位置における第１カメラ２１の画角の方が広くなるため、開口部２２３ｂ１の開口面積は、開口部２２２ｂ１の開口面積よりも大きくなっている。
【００４４】
フィルタ部２２３ａには、図４及び図５に示すように、円形状の開口部２２３ａ１が設けられている。この開口部２２３ａ１は、第２カメラ２２の撮像範囲に重ならないように設けられている。そして、開口部２２３ａ１には、紫外線用フィルタ２３ａ６が貼付されている。ここで、第３の回動プレート２２３の位置は、第２の回動プレート２２２の位置に比べて第２カメラ２２から離れており、第２の回動プレート２２２の位置における第２カメラ２２の画角よりも第３の回動プレート２２３の位置における第２カメラ２２の画角の方が広くなるため、開口部２２３ａ１の開口面積は、開口部２２２ａ１の開口面積よりも大きくなっている。
【００４５】
フロントケース２２４には、図３及び図４に示すように、使用しないフィルタを有する回動プレート（例えば、第１の回動プレート２２１と第２の回動プレート２２２）を第２カメラ２２の画角外に退避可能な退避空間Ｓが設けられている。
【００４６】
次に、ワイドバンドカメラ２００による撮像態様について説明する。
【００４７】
例えば、図４に示すように、第１カメラ２１により遠赤外線の波長帯域における撮像を行うと同時に、第２カメラ２２により紫外線の波長帯域における撮像を行う場合、開口部２２３ａ１に貼付されている紫外線用フィルタ２３ａ６が第２カメラ２２の撮像範囲に重なるように、開口部２２３ｂ１を中心として第３の回動プレート２２３を回動させる一方で、第１の回動プレート２２１と第２の回動プレート２２２とを退避空間Ｓに退避させ、対象となる被写体の撮像を行う。
【００４８】
また、図示は省略するが、第１カメラ２１により遠赤外線の波長帯域における撮像を行うと同時に、第２カメラ２２により近赤外線の波長帯域における撮像を行う場合は、開口部２２１ａ１に貼付されている近赤外線用フィルタ２３ａ４が第２カメラ２２の撮像範囲に重なるように、開口部２２１ｂ１を中心として第１の回動プレート２２１を回動させる一方で、第２の回動プレート２２２と第３の回動プレート２２３とを退避空間Ｓに退避させ、対象となる被写体の撮像を行う。また、第１カメラ２１により遠赤外線の波長帯域における撮像を行うと同時に、第２カメラ２２により可視光線の波長帯域における撮像を行う場合は、開口部２２２ａ１に貼付されている可視光線用フィルタ２３ａ５が第２カメラ２２の撮像範囲に重なるように、開口部２２２ｂ１を中心として第２の回動プレート２２２を回動させる一方で、第１の回動プレート２２１と第３の回動プレート２２３とを退避空間Ｓに退避させ、対象となる被写体の撮像を行う。
【００４９】
なお、第１〜第３の各回動プレート２２１〜２２３の操作方法については、各開口部２２１ｂ１，２２２ｂ１，２２３ｂ１を中心として第１〜第３の各回動プレート２２１〜２２３を回動させることができれば良く、例えば、ユーザが第１〜第３の各回動プレート２２１〜２２３を自ら回動させる手動式でも良いし、モータによる動力を与えて第１〜第３の各回動プレート２２１〜２２３を回動させる方法でも良い。
【００５０】
以上のように、本実施形態のワイドバンドカメラ２００は、第１〜第３の回動プレート２２１〜２２３を備え、第１〜第３の回動プレート２２１〜２２３は、透過可能な光の波長帯域がそれぞれ異なるフィルタ２３ａ４，２３ａ５，２３ａ６が設けられたフィルタ部２２１ａ，２２２ａ，２２３ａを備えるので、近赤外光、可視光、紫外光といった幅広い波長帯域の画像を１台のカメラで撮像することができる。また、近赤外光、可視光、紫外光のそれぞれの画像と、遠赤外光の画像とを重ね合わせて表示及び撮影することができる。
【００５１】
また、本実施形態のワイドバンドカメラ２００は、実施形態１のワイドバンドカメラ１００と異なり、各フィルタを有する第１〜第３の回動プレート２２１〜２２３を積層する構造となっているため、構造上フィルタの枚数を増やし易い。また、２枚以上のフィルタを重ねることができるため、フィルタの重ね合わせにより様々なフィルタ効果を実現することができる。
【００５２】
また、本実施形態のワイドバンドカメラ２００の第１〜第３の回動プレート２２１〜２２３は、それぞれの回動軸部２２１ｂ，２２２ｂ，２２３ｂが第１カメラ２１の光軸上に積み重ねられているので、第１〜第３の回動プレート２２１〜２２３を配設する際に、第１カメラ２１の前面側の領域を有効に活用することができる。これにより、省スペース化を図ることができるので、カメラ本体の小型化を図ることができる。
【００５３】
また、本実施形態のワイドバンドカメラ２００のフィルタ部２２１ａ，２２２ａ，２２３ａは、第２カメラ２２との光軸方向の距離に応じて、第２カメラ２２の撮像範囲と重なる範囲となる大きさのフィルタを設けているので、近赤外光、可視光、紫外光の各波長帯域の画像を好適に撮像することができる。
【００５４】
また、本実施形態のワイドバンドカメラ２００の各回動軸部２２１ｂ，２２２ｂ，２２３ｂは、第１カメラ２１との光軸方向の距離に応じて、少なくとも第１カメラ２１の撮像範囲より大きい面積の円形状の開口部２２１ｂ１，２２２ｂ１，２２３ｂ１を設けているので、第１〜第３の回動プレート２２１〜２２３が第１カメラ２１の光軸上に積み重ねられている状態であっても遠赤外光の波長帯域の画像を好適に撮像することができる。
【００５５】
なお、本発明は、上記実施形態に限定されることなく、本発明の趣旨を逸脱しない範囲において、種々の改良並びに設計の変更を行っても良い。
例えば、上記実施形態１にあっては、回動プレート２３のフィルタ部２３ａに近赤外線用フィルタ２３ａ４、可視光線用フィルタ２３ａ５及び紫外線用フィルタ２３ａ６の３種類のフィルタを設けたが、フィルタ部２３ａに設けられるフィルタは２種類または３種類以上であっても良い。
【００５６】
また、上記実施形態２にあっては、第１〜第３の回動プレート２２１〜２２３を設けたが、回動プレートの数は２つまたは３つ以上であっても良い。
【００５７】
また、上記実施形態１、２にあっては、近赤外線用フィルタ２３ａ４、可視光線用フィルタ２３ａ５、紫外線用フィルタ２３ａ６といった所謂バンドパスフィルタを設けたカメラについて説明をしたが、これらのバンドパスフィルタの他に、偏光フィルタ、ＮＤフィルタ、クロスフィルタ、ソフトフィルタ、第２カメラ２２のレンズを保護するレンズ保護フィルタ、第２カメラ２２による近接撮影を可能にするクローズアップレンズ等を適宜組み合わせて設けるようにしても良い。
【００５８】
以上、本発明の実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
第１の撮像手段と、
第２の撮像手段と、
前記第１の撮像手段の光軸方向と直交する平面を持つ回動部と、
を備え、
前記回動部は、
第１のフィルタ部と、前記第１の撮像手段の光軸を中心に回動する回動軸部と、を備え、
前記第１のフィルタ部を前記第２の撮像手段の撮像範囲に重なる状態と重ならない状態とに変換するように、前記回動軸部を中心として回動する、
ことを特徴とする撮像装置。
＜請求項２＞
前記回動軸部には、前記第１の撮像手段の撮像範囲に重ならないようにするための開口部が設けられ、
前記回動部は、前記開口部を中心として回動する、
ことを特徴とする請求項１に記載の撮像装置。
＜請求項３＞
前記回動部は、透過可能な光の波長帯域が前記第１のフィルタ部とは異なる第２のフィルタ部を少なくとも一つ以上備える、
ことを特徴とする請求項１又は２に記載の撮像装置。
＜請求項４＞
前記回動部は、前記第１のフィルタ部と前記第２のフィルタ部とのうちの何れか一つが前記第１の撮像手段の撮像範囲に重なるように回動する、
ことを特徴とする請求項３に記載の撮像装置。
＜請求項５＞
前記回動部を複数備え、
前記複数の回動部の各々は、透過可能な光の波長帯域がそれぞれ異なるフィルタが設けられたフィルタ部を備える、
ことを特徴とする請求項１から４のいずれか１項に記載の撮像装置。
＜請求項６＞
前記複数の回動部は、それぞれの前記回動軸部が前記第１の撮像手段の光軸上に積み重ねられている、
ことを特徴とする請求項５に記載の撮像装置。
＜請求項７＞
前記フィルタ部は、前記第２の撮像手段との光軸方向の距離に応じて、前記第２の撮像手段の撮像範囲と重なる範囲となる大きさのフィルタを設ける、
ことを特徴とする請求項５または６に記載の撮像装置。
＜請求項８＞
前記回動軸部は、前記第１の撮像手段との光軸方向の距離に応じて、少なくとも前記第１の撮像手段の撮像範囲より大きい面積の円形状の開口部を設ける、
ことを特徴とする請求項５から７のいずれか１項に記載の撮像装置。
＜請求項９＞
前記第１の撮像手段及び前記第２の撮像手段を保護する保護部材を更に備え、
前記保護部材は、
透明部材で構成され、
前記第１の撮像手段の撮像範囲に重ならないようにするための開口部が設けられ、
前記第２の撮像手段の撮像範囲と重なる領域以外の領域に印刷が施されている、
ことを特徴とする請求項１から８のいずれか１項に記載の撮像装置。
【符号の説明】
【００５９】
１００  ワイドバンドカメラ
１０  ベース部
２０  フロント部
２１  第１カメラ
２２  第２カメラ
２３  回動プレート
２３ａ  フィルタ部
２３ａ４  近赤外線用フィルタ
２３ａ５  可視光線用フィルタ
２３ａ６  紫外線用フィルタ
２３ｂ  回動軸部
２４  フロントケース
２４ａ  保護パネル
２００  ワイドバンドカメラ
２２０  フロント部
２２１  第１の回動プレート
２２２  第２の回動プレート
２２３  第３の回動プレート
２２４  フロントケース
【図１】
2019113715.tif 000003
【図２】
2019113715.tif 000004
【図３】
2019113715.tif 000005
【図４】
2019113715.tif 000006
【図５】
2019113715.tif 000007